(57)【要約】【課題】設置物の取り付け作業が容易な機器設置用スタンドを得ること。【解決手段】機器設置用スタンドは、両端部が床面に接地する接地部とされ、上向きに凸形状とされた状態で既定の間隔を空けて床面上に平行に配置される一対の脚体と、一対の脚体間に配置される機器の側面と係わり合って機器を保持する保持部と、を備える。機器設置用スタンドは、一対の脚体間を連結する一対の補強部品と、脚体と補強部品とが重なり合った重複領域を、一対の脚体を並べた方向と垂直な方向に貫通して脚体と補強部品とを締結するネジ部品と、ネジ部品の中心軸を軸とした補強部品に対する脚体の回転角度を制限する回転制限部２１２と、を備える。【選択図】図３
2019178743.tif 000002
【特許請求の範囲】
【請求項１】
両端部が床面に接地する接地部とされ、上向きに凸形状とされた状態で既定の間隔を空けて床面上に平行に配置される一対の脚体と、
前記一対の脚体間に配置される機器の側面と係わり合って前記機器を保持する保持部と、
前記一対の脚体間を連結する一対の補強部品と、
前記脚体と前記補強部品とが重なり合った重複領域を、前記一対の脚体を並べた方向と垂直な方向に貫通して前記脚体と前記補強部品とを締結するネジ部品と、
前記ネジ部品の中心軸を軸とした前記補強部品に対する前記脚体の回転角度を制限する回転制限部と、
を備えることを特徴とする機器設置用スタンド。
【請求項２】
前記回転制限部は、前記補強部品に配置されていること、
を特徴とする請求項１に記載の機器設置用スタンド。
【請求項３】
前記回転制限部は、前記補強部品の伸長方向における前記重複領域の少なくとも片側において、前記脚体と離間した状態で、前記軸の方向において前記脚体と重なる位置まで前記補強部品から前記脚体側に突出していること、
を特徴とする請求項２に記載の機器設置用スタンド。
【請求項４】
前記回転制限部は、前記補強部品の伸長方向における前記重複領域の両側に設けられていること、
を特徴とする請求項３に記載の機器設置用スタンド。
【請求項５】
前記回転制限部は、前記補強部品の一部が前記脚体側に折り曲げられている折り曲げ部であること、
を特徴とする請求項２から４のいずれか１つに記載の機器設置用スタンド。
【請求項６】
前記回転制限部は、前記補強部品における前記脚体側の面から突出した突出部であること、
を特徴とする請求項２から４のいずれか１つに記載の機器設置用スタンド。
【請求項７】
前記回転制限部は、前記脚体に配置されていること、
を特徴とする請求項１に記載の機器設置用スタンド。
【請求項８】
前記回転制限部は、前記脚体の伸長方向における前記重複領域の少なくとも片側において、前記補強部品と離間した状態で、前記軸の方向において前記補強部品と重なる位置まで前記脚体から前記補強部品側に突出していること、
を特徴とする請求項７に記載の機器設置用スタンド。
【請求項９】
前記回転制限部は、前記脚体の伸長方向における前記重複領域の両側に設けられていること、
を特徴とする請求項８に記載の機器設置用スタンド。
【請求項１０】
前記回転制限部は、前記重複領域に重ねて配置される別体部品に設けられていること、
を特徴とする請求項１に記載の機器設置用スタンド。
【請求項１１】
前記回転制限部は、前記補強部品の伸長方向における前記重複領域の少なくとも片側において、前記脚体と離間した状態で、前記軸の方向において前記脚体と重なる位置まで前記別体部品から前記補強部品側に突出していること、
を特徴とする請求項１０に記載の機器設置用スタンド。
【請求項１２】
前記回転制限部は、前記補強部品の伸長方向における前記重複領域の両側に設けられていること、
を特徴とする請求項１１に記載の機器設置用スタンド。
【請求項１３】
前記回転制限部は、前記脚体の回転角度が９０度未満であり、前記一対の脚体の上端部が互いに近づく方向への前記脚体の回転角度を、前記一対の脚体の上端部が互いに離れる方向への前記脚体の回転角度よりも小さく制限すること、
を特徴とする請求項１から１２のいずれか１つに記載の機器設置用スタンド。
【請求項１４】
請求項１から１３のいずれか１つに記載の機器設置用スタンドに送風機が保持されていること、
を特徴とする送風機システム。
【発明の詳細な説明】
【技術分野】
【０００１】
本発明は、脚体に設置物を取り付けて保持する機器設置用スタンドおよび送風機システムに関する。
【背景技術】
【０００２】
従来から物の設置を容易にするためにスタンドが用いられている。スタンドには、梱包および搬送の容易性を考慮した組立式とされて、需要者によって組み立てられて設置物が取り付けられるものがある。
【０００３】
特許文献１には、一対の固定部材を互いに平行に且つ間隔を空けて床面に載置し、一対の固定部材の端部を着脱自在に連結する取付部材の二対の両端部を固定部材の両端部へ差し込み連結することで、一対の固定部材と一対の取付部材とが矩形の環状に連結されるスタンドが開示されている。
【０００４】
しかしながら、特許文献１に記載されたスタンドは、床面に接触する部分が環状に連結され、ネジ等の固定部品を使用しない構造であるため部品間の固定の信頼性が懸念される。
【０００５】
そこで、送風機などの重量物を設置するスタンドには、間隔を空けて平行に配置される一対の脚体と両脚体間を連結する補強部品とがネジにより締結され、両脚体間に設置物を保持する構造のスタンドが用いられている。
【先行技術文献】
【特許文献】
【０００６】
【特許文献１】特開平１１−２５３２５５号公報
【発明の概要】
【発明が解決しようとする課題】
【０００７】
このような構造のスタンドは、一対の脚体と補強部品とが組み立てられた後に設置物が取り付けられるものがある。設置物の取り付け時には、両脚体間に設置物を配置するために完成時の適正な姿勢から脚体を傾ける必要がある。このため、スタンドは、脚体と補強部品とを締結するネジが緩んだ状態とされた仮固定状態とされる。このため、脚体が、脚体と補強部品とが締結するネジを中心軸として回転し易くなり、スタンドの姿勢が不安定となるため、設置物の取り付け作業が困難であった。
【０００８】
本発明は、上記に鑑みてなされたものであって、設置物の取り付け作業が容易な機器設置用スタンドを得ることを目的とする。
【課題を解決するための手段】
【０００９】
上述した課題を解決し、目的を達成するために、本発明にかかる機器設置用スタンドは、両端部が床面に接地する接地部とされ、上向きに凸形状とされた状態で既定の間隔を空けて床面上に平行に配置される一対の脚体と、一対の脚体間に配置される機器の側面と係わり合って機器を保持する保持部と、を備える。機器設置用スタンドは、一対の脚体間を連結する一対の補強部品と、脚体と補強部品とが重なり合った重複領域を、一対の脚体を並べた方向と垂直な方向に貫通して脚体と補強部品とを締結するネジ部品と、ネジ部品の中心軸を軸とした補強部品に対する脚体の回転角度を制限する回転制限部と、を備える。
【発明の効果】
【００１０】
本発明によれば、設置物の取り付け作業が容易な機器設置用スタンドが得られる、という効果を奏する。
【図面の簡単な説明】
【００１１】
【図１】本発明の実施の形態１にかかる機器設置用スタンドに送風機が取り付けられたおよび送風機システムを示す斜視図
【図２】本発明の実施の形態１にかかる機器設置用スタンドの斜視図
【図３】本発明の実施の形態１にかかる機器設置用スタンドにおける第１の脚体部品の傾斜部と第１の補強部品との分解斜視図
【図４】本発明の実施の形態１にかかる機器設置用スタンドにおける第１の補強部品の側面図
【図５】本発明の実施の形態１にかかる機器設置用スタンドにおける第１の脚体部品の傾斜部と第１の補強部品との取り付け部の斜視図
【図６】本発明の実施の形態１にかかる機器設置用スタンドにおける第１の脚体部品および第２の脚体部品が回転可能な範囲を示す模式図
【図７】本発明の実施の形態１にかかる機器設置用スタンドにおける回転制限部の変形例を示す模式図
【図８】本発明の実施の形態１にかかる機器設置用スタンドにおける回転制限部の変形例である別体回転制限部を示す斜視図
【図９】本発明の実施の形態１にかかる別体回転制限部の変形例にかかる別体回転制限部を示す斜視図
【図１０】本発明の実施の形態１にかかる回転制限部の変形例を示す側面図
【図１１】本発明の実施の形態１にかかる回転制限部の変形例を示す側面図
【図１２】本発明の実施の形態１にかかる第１の脚体に設けられた回転制限部を示す平面図
【図１３】本発明の実施の形態１にかかる第１の脚体に設けられた回転制限部を示す断面図
【発明を実施するための形態】
【００１２】
以下に、本発明の実施の形態にかかる機器設置用スタンドおよび送風機システムを図面に基づいて詳細に説明する。なお、この実施の形態によりこの発明が限定されるものではない。
【００１３】
実施の形態１．
図１は、本発明の実施の形態１にかかる機器設置用スタンド１に送風機２が取り付けられた送風機システムを示す斜視図である。図２は、本発明の実施の形態１にかかる機器設置用スタンド１の斜視図である。図３は、本発明の実施の形態１にかかる機器設置用スタンド１における第１の脚体部品１２ａの傾斜部１２２ａと第１の補強部品２１ａとの分解斜視図である。図４は、本発明の実施の形態１にかかる機器設置用スタンド１における第１の補強部品２１ａの側面図である。図５は、本発明の実施の形態１にかかる機器設置用スタンド１における第１の脚体部品１２ａの傾斜部１２２ａと第１の補強部品２１ａとの取り付け部４の斜視図である。図６は、本発明の実施の形態１にかかる機器設置用スタンド１における第１の脚体部品１２ａおよび第２の脚体部品１２ｂが回転可能な範囲を示す模式図である。
【００１４】
本実施の形態１にかかる送風機システム１００は、機器設置用スタンド１に送風機２が取り付けられて保持されている。本実施の形態１にかかる機器設置用スタンド１は、両端部が床面に接地する接地部とされ、上向きに凸形状とされた状態で既定の間隔を空けて床面上に平行に配置される一対の脚体１１と、互いに平行に配置されて一対の脚体１１間を連結する一対の補強部品２１と、を有して構成され、一対の脚体１１間に設置物である送風機２を保持する組み立て式のスタンドである。
【００１５】
送風機２は、機器設置用スタンド１の一対の脚体１１間に設置される設置物である。送風機２は、送風機２の両側面における上部から突出して設けられた第１取り付け突出部２ａが、一対の脚体１１の上部に嵌め込まれ、送風機２の両側面における下部から突出して設けられた第２取り付け突出部２ｂが、一対の脚体１１に取り付けられた取り付け板１４に嵌め込まれることで、機器設置用スタンド１に取り付けられている。
【００１６】
一対の脚体１１は、両端部が床面に接地する接地部とされ、上向きに凸形状とされた状態で、既定の間隔を空けて床面上に平行に配置される第１の脚体１２と第２の脚体１３とからなる。第１の脚体１２は、折り曲げ形状を有する２つの脚体部品である第１の脚体部品１２ａと、第２の脚体部品１２ｂとが接合されて構成されており、下側の部分が二股に分岐したＹ形状を有する。
【００１７】
第１の脚体部品１２ａは、第１の垂直部１２１ａと、傾斜部１２２ａと、第２の垂直部１２３ａとを有する。
【００１８】
第１の垂直部１２１ａは、伸長方向が鉛直方向とされて、第１の脚体部品１２ａにおける上側に配置されている。第１の垂直部１２１ａには、送風機２の側面における上部から突出して設けられた第１取り付け突出部２ａが嵌め込まれて第１の脚体１２に送風機２を取り付けるための取り付け孔１２４が設けられている。取り付け孔１２４の開口形状は、円形形状である。取り付け孔１２４は、一対の脚体１１間に配置される送風機２と係わり合って送風機２を保持する保持部である。
【００１９】
第２の垂直部１２３ａは、伸長方向が鉛直方向とされて、第１の脚体部品１２ａにおける下側に配置されている。第２の垂直部１２３ａの下端部には、接地部となる車輪３が取り付けられている。
【００２０】
傾斜部１２２ａは、伸長方向が鉛直方向に対して傾斜した方向とされて、第１の垂直部１２１ａと第２の垂直部１２３ａとを接続する。傾斜部１２２ａは、第２の垂直部１２３ａ側から第１の垂直部１２１ａ側に向かうにしたがって第２の脚体部品１２ｂに近づく方向に傾斜している。傾斜部１２２ａには、図３に示すようにボルト５を挿通させるための締結用孔１２５が設けられている。
【００２１】
第２の脚体部品１２ｂは、取り付け孔１２４が設けられていないこと以外は第１の脚体１２と同じ構造を有する。すなわち、第２の脚体部品１２ｂは、第１の垂直部１２１ｂと、傾斜部１２２ｂと、第２の垂直部１２３ｂとを有する。第１の垂直部１２１ｂは、第１の脚体部品１２ａの第１の垂直部１２１ａに対応する。傾斜部１２２ｂは、第１の脚体部品１２ａの傾斜部１２２ａに対応する。第２の垂直部１２３ｂは、第１の脚体部品１２ａの第２の垂直部１２３ａに対応する。
【００２２】
第１の脚体部品１２ａと第２の脚体部品１２ｂとは、第１の垂直部１２１ａと第１の垂直部１２１ｂとがネジ締結されることにより一体とされている。ネジ締結は、ボルトを用いる場合と、ボルトおよびナットを用いる場合とを含む。
【００２３】
第１の脚体部品１２ａの傾斜部１２２ａと第２の脚体部品１２ｂの傾斜部１２２ｂとは、送風機２を取り付けるための取り付け板１４により連結されている。取り付け板１４は、傾斜部１２２ａと傾斜部１２２ｂとにネジ締結されている。取り付け板１４には、第１の脚体１２に送風機２を取り付けるために送風機２の側面における下部から突出して設けられた第２取り付け突出部２ｂが嵌め込まれる取り付け孔１５が設けられている。取り付け孔１５は、一対の脚体１１間に配置される送風機２と係わり合って送風機２を保持する保持部である。
【００２４】
第２の脚体１３は、車輪３が取り付けられていないこと以外は第１の脚体１２と同じ構造を有する。すなわち、第２の脚体１３は、折り曲げ形状を有する２つの脚体部品である第１の脚体部品１３ａと、第２の脚体部品１３ｂとが接合されて構成されており、Ｙ形状を有する。
【００２５】
第１の脚体部品１３ａは、第１の脚体部品１２ａに対応している。第１の脚体部品１３ａは、第１の垂直部１３１ａと、傾斜部１３２ａと、第２の垂直部１３３ａとを有する。第２の脚体部品１３ｂは、第２の脚体部品１２ｂに対応している。第２の脚体部品１３ｂは、第１の垂直部１３１ｂと、傾斜部１３２ｂと、第２の垂直部１３３ｂとを有する。
【００２６】
第１の垂直部１３１ａには、送風機２の側面における上部から突出して設けられた不図示の第１取り付け突出部２ａが嵌め込まれて第２の脚体１３に送風機２を取り付けるための取り付け孔１３４が、設けられている。取り付け孔１３４の開口形状は、円形形状である。
【００２７】
第１の脚体部品１３ａと第２の脚体部品１３ｂとは、第１の垂直部１３１ａと第１の垂直部１３１ｂとがネジ締結されることにより一体とされている。ネジ締結は、ボルトを用いる場合と、ボルトおよびナットを用いる場合とを含む。
【００２８】
第１の脚体部品１３ａの傾斜部１３２ａと第２の脚体部品１３ｂの傾斜部１３２ｂとは、送風機２を取り付けるための取り付け板１４により連結されている。取り付け板１４は、傾斜部１３２ａと傾斜部１３２ｂとにネジ締結されている。取り付け板１４には、第１の脚体１２に送風機２を取り付けるために送風機２の側面における下部から突出して設けられた第２取り付け突出部２ｂが嵌め込まれる取り付け孔１５が設けられている。
【００２９】
一対の補強部品２１は、第１の補強部品２１ａと第２の補強部品２１ｂとを有する。一対の補強部品２１は、一対の補強部品２１と一対の脚体１１とが重複する重複領域である取り付け部４を、一対の脚体１１を並べた方向と垂直な方向に貫通するネジ部品を用いて、一対の脚体１１とネジ締結されている。ネジ締結は、ネジ部品として、ボルトを用いる場合と、ボルトおよびナットを用いる場合とを含む。すなわち、第１の補強部品２１ａは、第１の脚体１２の第１の脚体部品１２ａの傾斜部１２２ａと重複する取り付け部４ａにおいてネジ締結され、また、第２の脚体１３の第１の脚体部品１３ａの傾斜部１３２ａと重複する取り付け部４ｂにおいてネジ締結されている。第２の補強部品２１ｂは、第１の脚体１２の第２の脚体部品１２ｂの傾斜部１２２ｂと重複する取り付け部４ｃにおいてネジ締結され、また、第２の脚体１３の第２の脚体部品１３ｂの傾斜部１３２ｂと重複する取り付け部４ｄにおいてネジ締結されている。本実施の形態１では、一対の補強部品２１は、ボルト５およびナット６により一対の脚体１１に固定されている。なお、以下では、取り付け部４ａ、取り付け部４ｂ、取り付け部４ｃおよび取り付け部４ｄを区別しない場合には、取り付け部４と呼ぶ場合がある。
【００３０】
第１の補強部品２１ａは、平板状の平坦部２１１における両端側の領域に、ボルト５を挿通させるための締結用孔２１５を有する。締結用孔２１５の開口形状は、円形形状である。第１の補強部品２１ａは、取り付け部４ａおよび取り付け部４ｂの周囲に回転制限部２１２を有する。すなわち、第１の補強部品２１ａは、伸長方向の両端側に回転制限部２１２を有する。回転制限部２１２は、取り付け部４におけるネジ部品を中心軸とした、補強部品２１に対する脚体１１の回転範囲を制限する。すなわち、回転制限部２１２は、取り付け部４におけるネジ部品を中心軸とした、補強部品２１に対する脚体１１の回転角度を制限する。同様に、第２の補強部品２１ｂも、伸長方向の両端側に回転制限部２１２を有する。以下では、第１の補強部品２１ａの取り付け部４ａ側の端部側に設けられた回転制限部２１２を例に、回転制限部２１２について説明する。
【００３１】
第１の脚体部品１２ａの傾斜部１２２ａと第１の補強部品２１ａとは、傾斜部１２２ａの締結用孔１２５と第１の補強部品２１ａの締結用孔２１５とが同軸とされて、ボルト５およびナット６により固定される。したがって、ネジ部品であるボルト５を軸とした回転は、第１の脚体部品１２ａの締結用孔１２５の中心軸を軸とした回転と換言できる。また、ネジ部品であるボルト５を軸とした回転は、第１の補強部品２１ａの締結用孔２１５の中心軸を軸とした回転と換言できる。
【００３２】
機器設置用スタンド１は、設置物が取り付けられる前に、一対の脚体１１と一対の補強部品２１との仮固定状態まで組み立てられる。仮固定状態は、取り付け部４において一対の脚体１１と一対の補強部品２１とを締結するネジ部品の締め付けが緩んでおり、一対の脚体１１が一対の補強部品２１に対してネジ部品を中心軸として回転可能な状態である。すなわち、仮固定状態においては、取り付け部４ａでは、第１の脚体部品１２ａの傾斜部１２２ａと第１の補強部品２１ａとを締結するボルト５の締め付けが緩んでおり、傾斜部１２２ａが第１の補強部品２１ａに対してボルト５を中心軸として回転可能な状態である。取り付け部４ｂ、取り付け部４ｃおよび取り付け部４ｄにおいても同様である。
【００３３】
回転制限部２１２は、取り付け部４におけるネジ部品の中心軸を軸とする脚体１１の回転範囲を制限するために、補強部品２１において脚体１１側に折り曲げられた折り曲げ部とされている。第１の補強部品２１ａにおいては、図３から図５に示すように、仮固定状態の取り付け部４ａにおけるボルト５の中心軸を軸とする第１の脚体部品１２ａの回転範囲を制限するために、第１の脚体部品１２ａの傾斜部１２２ａ側に折り曲げられた第１折り曲げ部２１３ａと第２折り曲げ部２１４ａとが、回転制限部２１２として取り付け部４ａ側の端部側の領域に設けられている。すなわち、第１折り曲げ部２１３ａと第２折り曲げ部２１４ａとは、第１の補強部品２１ａの伸長方向における取り付け部４ａの両側において、第１の脚体部品１２ａと離間した状態で、ボルト５の中心軸の方向において第１の脚体部品１２ａと重なる位置まで第１の補強部品２１ａから第１の脚体部品１２ａ側に突出した突出部からなる回転制限部２１２である。
【００３４】
同様に、第１の補強部品２１ａにおいては、仮固定状態の取り付け部４ｂにおけるボルト５の中心軸を軸とする第１の脚体部品１３ａの回転範囲を制限するために、第１折り曲げ部２１３ｂと第２折り曲げ部２１４ｂとが、取り付け部４ｂ側の端部側の領域に設けられている。
【００３５】
第１折り曲げ部２１３ａは、第１の補強部品２１ａの伸長方向における取り付け部４ａ側の端部が第１の脚体部品１２ａの傾斜部１２２ａ側に折り曲げられた折り曲げ部である。第２折り曲げ部２１４ａは、第１の補強部品２１ａの側部が第１の脚体部品１２ａの傾斜部１２２ａ側に折り曲げられた折り曲げ部である。すなわち、第２折り曲げ部２１４ａは、第１の補強部品２１ａの伸長方向における取り付け部４ａ側の端部側において、第１の補強部品２１ａの伸長方向において締結用孔２１５を挟んで第１折り曲げ部２１３ａが設けられた側と反対側に設けられて、平坦部２１１の側部が第１の脚体部品１２ａの傾斜部１２２ａ側に折り曲げられた折り曲げ部である。
【００３６】
第１折り曲げ部２１３ｂは、第１の補強部品２１ａの伸長方向における取り付け部４ｂ側の端部が第１の脚体部品１３ａの傾斜部１３２ａ側に折り曲げられた折り曲げ部である。第２折り曲げ部２１４ｂは、第１の補強部品２１ａの側部が第１の脚体部品１３ａの傾斜部１３２ａ側に折り曲げられた折り曲げ部である。すなわち、第２折り曲げ部２１４ｂは、第１の補強部品２１ａの伸長方向における取り付け部４ｂ側の端部側の領域において、第１の補強部品２１ａの伸長方向において締結用孔２１５を挟んで第１折り曲げ部２１３ｂが設けられた側と反対側に設けられて、平坦部２１１の側部が第１の脚体部品１３ａの傾斜部１３２ａ側に折り曲げられた折り曲げ部である。
【００３７】
第１折り曲げ部２１３ａが脚体取り付け面２１６から突出した突出寸法２１３ｃは、仮固定状態の第１の脚体部品１２ａの回転を第１折り曲げ部２１３ａで止めることができる寸法であればよい。第１折り曲げ部２１３ｂが脚体取り付け面２１６から突出した突出寸法２１３ｃは、仮固定状態の第１の脚体部品１３ａの傾斜部１３２ａの回転を第１折り曲げ部２１３ｂで止めることができる寸法であればよい。
【００３８】
第２折り曲げ部２１４ａが脚体取り付け面２１６から突出した突出寸法２１４ｃは、仮固定状態の第１の脚体部品１２ａの回転を第２折り曲げ部２１４ａで止めることができる寸法であればよい。第２折り曲げ部２１４ｂが脚体取り付け面２１６から突出した突出寸法２１４ｃは、仮固定状態の第１の脚体部品１３ａの傾斜部１３２ａの回転を第２折り曲げ部２１４ｂで止めることができる寸法であればよい。
【００３９】
上述したように、仮固定状態では、ネジ部品の締め付けが緩んでおり、第１の脚体部品１２ａの傾斜部１２２ａは、第１の補強部品２１ａに対してネジ部品の中心軸を軸として回転可能である。この場合、傾斜部１２２ａは、たとえば傾斜部１２２ａの側面位置が図５において第１側面位置２４ａで示される第１の回転位置に回転可能である。第１の回転位置は、第１の脚体部品１２ａにおける締結用孔１２５よりも鉛直上方の部分が、第１の脚体部品１２ａの締結用孔１２５および第１の補強部品２１ａの締結用孔２１５よりも第１の補強部品２１ａの伸長方向において第１の補強部品２１ａの中心側に回転した回転位置である。
【００４０】
また、傾斜部１２２ａは、たとえば傾斜部１２２ａの側面位置が図５において第２側面位置２４ｂで示される第２の回転位置に回転可能である。第２の回転位置は、第１の脚体部品１２ａにおける締結用孔２１５よりも鉛直下方の部分が、第１の脚体部品１２ａの締結用孔１２５および第１の補強部品２１ａの締結用孔２１５よりも第１の補強部品２１ａの伸長方向において第１の補強部品２１ａの中心側に回転した回転位置である。
【００４１】
第１折り曲げ部２１３ａと第２折り曲げ部２１４ａとが第１の脚体部品１２ａの傾斜部１２２ａ側に折り曲げられていることにより、仮固定状態の機器設置用スタンド１における第１の脚体部品１２ａが、傾斜部１２２ａが取り付け部４ａに取り付けられるボルト５の中心軸を軸として回転する場合に、傾斜部１２２ａが第１折り曲げ部２１３ａまたは第２折り曲げ部２１４ａと接触することにより、第１折り曲げ部２１３ａまたは第２折り曲げ部２１４ａが回転を阻害する障害物の役割を果たすことで第１の脚体部品１２ａの回転が制限される。
【００４２】
第１の補強部品２１ａの伸長方向における第１折り曲げ部２１３ａと第２折り曲げ部２１４ａとの間隔である間隔２２ａは、第１の脚体部品１２ａの傾斜部１２２ａの幅である幅２２ｂよりも大きくされる。そして、第１の脚体部品１２ａの傾斜部１２２ａと第１の補強部品２１ａとは、第１の脚体部品１２ａの締結用孔１２５と第１の補強部品２１ａの締結用孔２１５とが同軸とされて、ボルト５およびナット６により固定されている。
【００４３】
したがって、図５に示すように、第１の補強部品２１ａの伸長方向において、第１折り曲げ部２１３ａに対向する第１の脚体部品１２ａの側面と第１折り曲げ部２１３ａとの間、および第２折り曲げ部２１４ａに対向する第１の脚体部品１２ａの側面と第２折り曲げ部２１４ａとの間には、隙間２３が形成される。そして、第１の補強部品２１ａの伸長方向における隙間２３の寸法である隙間寸法２２ｃを調整することにより、上述した仮固定状態における、第１の補強部品２１ａに対する第１の脚体部品１２ａの適正な姿勢からの回転範囲を、すなわち鉛直方向からの第１の脚体部品１２ａの回転範囲を、任意の範囲に限定することが可能となる。
【００４４】
また、第１折り曲げ部２１３ａと第２折り曲げ部２１４ａとは、隙間２３を介して第１の脚体部品１２ａの傾斜部１２２ａを挟む配置とされる。これにより、機器設置用スタンド１の組み立てにおいて第１折り曲げ部２１３ａと第２折り曲げ部２１４ａとが、第１の脚体部品１２ａの傾斜部１２２ａと第１の補強部品２１ａとの位置合わせを行う際の位置合わせの案内役となり、第１の脚体部品１２ａの傾斜部１２２ａと第１の補強部品２１ａとのネジ締結作業が容易になる。これにより、機器設置用スタンド１では、機器設置用スタンド１の組み立て性が改善されている。
【００４５】
特に、送風機の取り付け寸法３１ｄが大きい場合には、一対の脚体１１間の距離である第１の脚体部品１２ａと第２の脚体部品１２ｂとの間の距離が長く、第１の脚体部品１２ａおよび第２の脚体部品１２ｂと第１の補強部品２１ａとのネジ締結作業の作業性が悪化し易い。しかしながら、機器設置用スタンド１では、第１折り曲げ部２１３ａと第２折り曲げ部２１４ａとが、第１の脚体部品１２ａの傾斜部１２２ａと第１の補強部品２１ａとの位置合わせを行う際の位置合わせの案内役となるため、第１の脚体部品１２ａおよび第２の脚体部品１２ｂと第１の補強部品２１ａとのネジ締結作業の作業性が大きく改善される。
【００４６】
本実施の形態１では、図６に示すように、第１の脚体１２および第２の脚体１３における、取り付け方向への可動範囲角度３１ｂは、取り外し方向への可動範囲角度３１ｃよりも小さく設定する。取り付け方向は、送風機２を機器設置用スタンド１に取り付ける場合に第１の脚体１２および第２の脚体１３を回転させる方向であり、第１の脚体１２の第１の垂直部１２１ａと、第２の脚体１３の第１の垂直部１３１ａとが互いに近づく方向である。すなわち、取り付け方向は、一対の脚体１１の上端部が互いに近づく方向である。取り外し方向は、送風機２を機器設置用スタンド１から取り外す場合に第１の脚体１２および第２の脚体１３を回転させる方向であり、第１の脚体１２の第１の垂直部１２１ａと、第２の脚体１３の第１の垂直部１３１ａとが互いに離れる方向である。すなわち、取り外し方向は、一対の脚体１１の上端部が互いに離れる方向である。
【００４７】
取り付け方向への可動範囲角度３１ｂは、第１の脚体１２および第２の脚体１３が鉛直方向に沿った姿勢から取り付け方向へ回転可能とされる角度の範囲である。取り外し方向への可動範囲角度３１ｃは、第１の脚体１２および第２の脚体１３が鉛直方向に沿った姿勢から取り外し方向へ回転可能とされる角度の範囲である。そして、取り付け方向への可動範囲角度３１ｂと取り外し方向への可動範囲角度３１ｃとの合計が、第１の脚体１２および第２の脚体１３の各々が回転可能な角度の範囲である可動範囲角度３１ａとなる。
【００４８】
本実施の形態１では、回転制限部２１２は、第１の脚体１２および第２の脚体１３の可動範囲角度３１ａが９０度未満であり、第１の脚体１２および第２の脚体１３の取り付け方向への可動範囲角度３１ｂを取り外し方向への可動範囲角度３１ｃよりも小さく制限する。これにより、第１の脚体１２および第２の脚体１３は、取り付け方向への倒れこみ量が取り外し方向への倒れ込み量よりも小さくなり、送風機２の取り付け時に送風機の取り付け寸法３１ｄの間隔を保ちやすくなる。これらの回転範囲は、図５に示す隙間寸法２２ｃを調整することで任意の可動範囲に調整することが可能である。
【００４９】
そして、上述した構成を有する回転制限部２１２は、第１の補強部品２１ａおよび第２の補強部品２１ｂにおいて、伸長方向の両端部に設けられている。
【００５０】
つぎに、機器設置用スタンド１の組み立ておよび送風機２の設置方法について説明する。まず、第１の脚体部品１２ａと第２の脚体部品１２ｂとをネジ締結することにより第１の脚体１２が形成される。また、第１の脚体部品１３ａと第２の脚体部品１３ｂとをネジ締結することにより第２の脚体１３が形成される。つぎに、第１の脚体１２および第２の脚体１３の各々に、取り付け板１４がネジ締結される。機器設置用スタンド１は、送風機２が取り付けられる前に、一対の脚体１１と一対の補強部品２１との仮固定状態まで組み立てられる。
【００５１】
つぎに、一対の脚体１１の間に送風機２を挟んだ状態で送風機２が機器設置用スタンド１に取り付けられる。機器設置用スタンド１に送風機２を取り付ける際には、送風機２の一方の側面から突出して設けられた第２取り付け突出部２ｂが、第１の脚体１２に取り付けられた取り付け板１４の取り付け孔１５に嵌め込まれる。また、送風機２の他方の側面から突出して設けられた第２取り付け突出部２ｂが、第２の脚体１３に取り付けられた取り付け板１４の取り付け孔１５に嵌め込まれる。
【００５２】
つぎに、送風機２の一方の側面から突出して設けられた第１取り付け突出部２ａが、第１の脚体部品１２ａの第１の垂直部１２１ａに設けられた取り付け孔１２４に嵌め込まれる。また、送風機２の他方の側面から突出して設けられた第１取り付け突出部２ａが、第１の脚体部品１３ａの第１の垂直部１３１ａに設けられた取り付け孔１２４に嵌め込まれる。
【００５３】
仮固定状態の機器設置用スタンド１は、第１の補強部品２１ａおよび第２の補強部品２１ｂの両端に設けられた回転制限部２１２により、第１の脚体部品１２ａ、第２の脚体部品１２ｂ、第１の脚体部品１３ａ、および第２の脚体部品１３ｂの可動範囲角度３１ａが制限される。そして、第１の脚体部品１２ａ、第２の脚体部品１２ｂ、第１の脚体部品１３ａ、および第２の脚体部品１３ｂの姿勢が、仮固定状態の適正な姿勢基準から、あらかじめ設定された傾斜範囲内で傾斜した姿勢で保たれる。したがって、第１の脚体１２および第２の脚体１３は、仮固定状態においても鉛直方向に対して大きく傾斜することがなく、不安定とならずに仮固定状態の適正な姿勢に近い姿勢を保持できる。このため、機器設置用スタンド１を立てて設置することが可能となる。
【００５４】
これにより、仮固定状態の機器設置用スタンド１への送風機２の取り付けが容易になり、また、ボルト５を増し締めして適正な姿勢で第１の補強部品２１ａと第１の脚体部品１２ａをボルト５とナット６との摩擦によって固定する際に、取り付け部４ａにおけるネジ締結作業の作業性が大きく向上し、機器設置用スタンド１の組み立て性が向上する。そして、これらの効果は、第１の脚体１２または第２の脚体１３の接地部として車輪３が設けられた構成においても得られる。
【００５５】
なお、第１の補強部品２１ａは、取り付け部４ａ側の端部側の領域において第１折り曲げ部２１３ａと第２折り曲げ部２１４ａとのいずれか一方を備えてもよい。また、第１の補強部品２１ａは、取り付け部４ｂ側の端部側の領域において第１折り曲げ部２１３ｂと第２折り曲げ部２１４ｂとのいずれか一方を備えてもよい。すなわち、第１の補強部品２１ａは、第１の補強部品２１ａの伸長方向における取り付け部４の少なくとも片側に、回転制限部を有していてもよい。
【００５６】
また、回転制限部として、第１の補強部品２１ａにおける対向する両側面が第１の脚体部品１２ａの傾斜部１２２ａ側に折り曲げられた折り曲げ部を設けてもよい。たとえば、第１の補強部品２１ａにおいて第２折り曲げ部２１４ａが折り曲げられた側と対向する側面が第１の脚体部品１２ａの傾斜部１２２ａ側に折り曲げられた折り曲げ部と、第２折り曲げ部２１４ａとを回転制限部として設けてもよい。これにより、取り付け方向への第１の脚体部品１２ａの回転と、取り外し方向への第１の脚体部品１２ａの回転との両方を制限できる。
【００５７】
また、回転制限部２１２は、第１の補強部品２１ａおよび第２の補強部品２１ｂにおいて、伸長方向における少なくとも１つの端部領域に設けられてもよい。これにより、第１の補強部品２１ａおよび第２の補強部品２１ｂにおいて回転制限部２１２が設けられた領域の取り付け部４において、上述した効果が得られる。
【００５８】
また、一対の補強部品２１は、平板状の部品ではなく、パイプなどからなる棒状の部品であってもよい。
【００５９】
また、上記においては、第１の補強部品２１ａが第１の脚体部品１２ａの傾斜部１２２ａおよび第１の脚体部品１３ａの傾斜部１３２ａにネジ締結される場合を例に示したが、一対の脚体１１の寸法などの諸条件にもよるが、第１の補強部品２１ａが第１の脚体部品１２ａの第２の垂直部１２３ａと第１の脚体部品１３ａの第２の垂直部１３３ａとにネジ締結される構成とすることも可能である。
【００６０】
なお、本実施の形態１においては、送風機２の機器設置用スタンド１への設置方法として、第２取り付け突出部２ｂを取り付け孔１５に嵌め込み、第１取り付け突出部２ａを取り付け孔１２４に嵌め込んで、ボルト５を増し締めして補強部品２１と脚体１１とを固定する構造で説明したが、この構造に限らず、例えば、送風機２の側面上部に設けた孔と機器設置用スタンド１の取り付け孔１２４とにボルトを通してナットで固定し、送風機２の側面下部に設けた孔と機器設置用スタンド１の取り付け孔１５とにボルトを通してナットで固定し、ボルト５を増し締めして補強部品２１と脚体１１とを固定する構造としてもよい。
【００６１】
つぎに、回転制限部の変形例について説明する。図７は、本発明の実施の形態１にかかる機器設置用スタンド１における回転制限部の変形例を示す模式図である。図７に示す例では、第１の補強部品２１ａの取り付け部４ａ側の端部側において、第１の補強部品２１ａの伸長方向において締結用孔２１５を挟んで第１折り曲げ部２１３ａが設けられた側と反対側に設けられて、平坦部２１１の側部が第２折り曲げ部２１４ａと同じ側に折り曲げられた折り曲げ部である第１折り曲げ部２１７と、上述した第２折り曲げ部２１４ａとが回転制限部となる。このような変形例にかかる回転制限部においても、上述した回転制限部２１２と同様の効果が得られる。
【００６２】
図８は、本発明の実施の形態１にかかる機器設置用スタンド１における回転制限部の変形例である別体回転制限部２５を示す斜視図である。回転制限部は、補強部品および脚体と独立した別部品であってもよい。別体回転制限部２５は、一対の補強部品２１と一対の脚体１１とが重複する重複領域である取り付け部４に重ねて配置される別体部品である。
【００６３】
別体回転制限部２５は、上述した第１の補強部品２１ａにおける取り付け部４ａ側と同じ構造を有する。すなわち、別体回転制限部２５は、平坦部２５１と、第１折り曲げ部２５２と、第２折り曲げ部２５３と、締結用孔２５４とを有する。平坦部２５１は、第１の補強部品２１ａにおける平坦部２１１に対応する。第１折り曲げ部２５２は、第１の補強部品２１ａにおける第１折り曲げ部２１３ａに対応する。第２折り曲げ部２５３は、第１の補強部品２１ａにおける第２折り曲げ部２１４ａに対応する。締結用孔２５４は、第１の補強部品２１ａにおける締結用孔２１５に対応する。
【００６４】
そして、別体回転制限部２５は、第１の脚体部品１２ａの傾斜部１２２ａと、上述した第１の補強部品２１ａにおいて回転制限部が設けられてない構造を有する補強部品２６と、別体回転制限部２５とがこの順で重ねられた状態で、ボルト５およびナット６により固定される。すなわち、別体回転制限部２５は、補強部品２６の第１面２６１側に別体回転制限部２５が重ねられ、補強部品２６の第２面２６２側に第１の脚体部品１２ａの傾斜部１２２ａが重ねられた状態で、上記の３部品がボルト５およびナット６により固定される。
【００６５】
また、別体回転制限部２５は、傾斜部１２２ａの締結用孔１２５と、補強部品２６に設けられた締結用孔２６３と、別体回転制限部２５の締結用孔２５４とが同軸とされて、ボルト５およびナット６により固定される。そして、第１折り曲げ部２５２と第２折り曲げ部２５３とは、補強部品２６の伸長方向において第１の脚体部品１２ａの傾斜部１２２ａと離間し、ボルト５の中心軸の方向において第１の脚体部品１２ａと重なる位置まで平坦部２５１から第１の脚体部品１２ａ側に突出した状態で配置される。
【００６６】
上記のように構成された別体回転制限部２５を用いる場合も、上述した回転制限部２１２と同様の効果が得られる。なお、別体回転制限部２５は、第１折り曲げ部２５２と第２折り曲げ部２５３とのいずれか一方を備えてもよい。すなわち、別体回転制限部２５は、補強部品２６の伸長方向における取り付け部４ａの少なくとも片側に、回転制限部を有していてもよい。
【００６７】
図９は、本発明の実施の形態１にかかる別体回転制限部２５の変形例にかかる別体回転制限部２７を示す斜視図である。別体回転制限部２７は、平坦部２７１と、第１折り曲げ部２７２と、第２折り曲げ部２７３と、締結用孔２７４とを有する。別体回転制限部２７は、別体回転制限部２５において、第１折り曲げ部２５２と第２折り曲げ部２５３との折り曲げ方向を平坦部２７１に対して反対方向とした構造を有する。別体回転制限部２７は、別体回転制限部２７と、第１の脚体部品１２ａの傾斜部１２２ａと、補強部品２６とがこの順で重ねられた状態で、ボルト５およびナット６により固定される。
【００６８】
上記のように構成された別体回転制限部２７を用いる場合も、上述した回転制限部２１２と同様の効果が得られる。なお、別体回転制限部２７は、第１折り曲げ部２７２と第２折り曲げ部２７３とのいずれか一方を備えてもよい。すなわち、別体回転制限部２７は、補強部品２６の伸長方向における取り付け部４ａの少なくとも片側に、回転制限部を有していてもよい。
【００６９】
図１０は、本発明の実施の形態１にかかる回転制限部の変形例を示す側面図である。図１０に示すように、ボルト５を挿通させるための締結用孔４１４を備えた平板状の補強部品４１は、ボルト５の中心軸の方向において第１の脚体部品１２ａと重なる位置まで第１面４１１側から第２面４１２側に向けて貫通して突出する突起物である２本のピン４１３が取り付けられている。この場合、第２面４１２が、第１の脚体部品１２ａ側の面となる。そして、２本のピン４１３は、回転制限部として機能する。第２面４１２からのピン４１３の突出寸法は、第１の脚体部品１２ａの回転をピン４１３で止めることができる寸法であればよい。
【００７０】
上記のように構成された補強部品４１を用いる場合も、上述した回転制限部２１２と同様の効果が得られる。なお、補強部品４１は、補強部品４１の伸長方向における取り付け部４の少なくとも片側に、ピン４１３を有していてもよい。
【００７１】
図１１は、本発明の実施の形態１にかかる回転制限部の変形例を示す側面図である。図１１に示すように、ボルト５を挿通させるための締結用孔４２４を備えた平板状の補強部品４２は、ボルト５の中心軸の方向において第１の脚体部品１２ａと重なる位置まで、第１の脚体部品１２ａ側の面となる第２面４２２から突出する２つの突出部４２３が設けられている。第２面４２２が向く側と反対側を向く第１面４２１は、平坦面とされている。そして、２本の突出部４２３は、回転制限部として機能する。第２面４２２からの突出部４２３の突出寸法は、第１の脚体部品１２ａの回転を突出部４２３で止めることができる寸法であればよい。
【００７２】
上記のように構成された補強部品４２を用いる場合も、上述した回転制限部２１２と同様の効果が得られる。なお、補強部品４２は、補強部品４２の伸長方向における取り付け部４の少なくとも片側に、突出部４２３を有していてもよい。
【００７３】
図１２は、本発明の実施の形態１にかかる第１の脚体４３に設けられた回転制限部を示す平面図である。図１３は、本発明の実施の形態１にかかる第１の脚体４３に設けられた回転制限部を示す断面図である。図１３は、図１２におけるＸＩＩＩ−ＸＩＩＩ線における断面図である。回転制限部は、脚体に設けられてもよい。
【００７４】
図１３に示すように、第１の脚体４３は、ボルト５を挿通させるための締結用孔４３３を有し、上述した補強部品２６と対向する第１面４３１に、ボルト５の中心軸の方向において補強部品２６と重なる位置まで、第１の脚体４３側から補強部品２６側に突出した回転制限部である突出部４３２が設けられている。突出部４３２は、第１の脚体４３の伸長方向において補強部品２６を挟んだ両側に、すなわち第１の脚体４３の伸長方向において重複領域である取り付け部４ａの両側に、補強部品２６と離間した状態で配置されている。第１面４３１からの突出部４３２の突出寸法は、第１の脚体部品１２ａの回転を突出部４３２で止めることができる寸法であればよい。
【００７５】
上記のように構成された第１の脚体４３を用いる場合も、上述した回転制限部２１２と同様の効果が得られる。なお、第１の脚体４３は、第１の脚体４３の伸長方向における取り付け部４の少なくとも片側に、突出部４３２を有していてもよい。
【００７６】
上述したように、本実施の形態１にかかる機器設置用スタンド１は、第１の補強部品２１ａにおける取り付け部４ａの周囲に回転制限部２１２を備えることにより、第１の補強部品２１ａと第１の脚体部品１２ａとが仮固定状態であっても、第１の補強部品２１ａに対するボルト５の中心軸を軸とした第１の脚体部品１２ａの回転範囲が制限される。すなわち、仮固定状態において、第１の補強部品２１ａと第１の脚体部品１２ａとの適正な位置関係から第１の脚体部品１２ａが大きく傾斜することがない。したがって、仮固定状態における第１の脚体部品１２ａの姿勢が、仮固定状態の適正な姿勢から、あらかじめ設定された傾斜範囲内で傾斜した姿勢で保たれる。
【００７７】
また、機器設置用スタンド１は、第１の補強部品２１ａおよび第２の補強部品２１ｂにおいて、取り付け部４ｂ、取り付け部４ｃおよび取り付け部４ｄの周囲に回転制限部２１２を備えることにより、仮固定状態における第２の脚体部品１２ｂ、第１の脚体部品１３ａ、および第２の脚体部品１３ｂの姿勢が、仮固定状態の適正な姿勢から、あらかじめ設定された傾斜範囲内で傾斜した姿勢で保たれる。
【００７８】
これにより、第１の脚体１２および第２の脚体１３は、傾斜が制限されるため仮固定状態においても鉛直方向に対して大きく傾斜することがなく、仮固定状態の適正な姿勢に近い姿勢を保持でき、機器設置用スタンド１が不安定とならない。このため、仮固定状態の機器設置用スタンド１への送風機２の取り付けが容易になり、また、ボルト５を締め増して一対の補強部品２１と一対の脚体１１とを固定する際に、取り付け部４におけるネジ締結作業の作業性が大きく向上し、機器設置用スタンド１の組み立て性が向上する。そして、これらの効果は、第１の脚体１２または第２の脚体１３の接地部として車輪３が設けられた構成においても得られる。
【００７９】
また、機器設置用スタンド１は、第１の補強部品２１ａおよび第２の補強部品２１ｂにおいて、伸長方向における両端部に回転制限部２１２を備えることにより、取り付け部４ｂ、取り付け部４ｃおよび取り付け部４ｄにおけるネジ締結作業の作業性が大きく向上し、機器設置用スタンド１の組み立て性が向上する。
【００８０】
また、機器設置用スタンド１は、第１の脚体部品１２ａの傾斜部１２２ａと第１の補強部品２１ａとを取り付け部４ａにおいてネジ締結により締結するために位置合わせする際に、第１折り曲げ部２１３ａと第２折り曲げ部２１４ａとが、第１の脚体部品１２ａの傾斜部１２２ａと第１の補強部品２１ａとの位置合わせの案内役の役割を果たす。これにより、機器設置用スタンド１は、第１の脚体部品１２ａと第１の補強部品２１ａとのネジ締結作業の作業性が大きく向上し、機器設置用スタンド１の組み立て性が向上する。また、第１の補強部品２１ａおよび第２の補強部品２１ｂにおいて、取り付け部４ｂ、取り付け部４ｃおよび取り付け部４ｄの周囲に回転制限部２１２を備えることにより、取り付け部４ｂ、取り付け部４ｃおよび取り付け部４ｄにおいても同様の効果が得られる。
【００８１】
機器設置用スタンド１は、機器設置用スタンド１の設置現場で組み立てて設置物を設置する場合に有効である。そして、機器設置用スタンド１は、特に設置物が重い場合、たとえば農事用または畜産用に用いられる大型の送風機を保持する場合における設置作業性の改善により効果的である。
【００８２】
したがって、本実施の形態１にかかる機器設置用スタンド１は、設置物の取り付け作業が容易となり、また組み立て性が向上する、という効果を奏する。
【００８３】
以上の実施の形態に示した構成は、本発明の内容の一例を示すものであり、実施の形態における技術同士を組み合わせることも可能であるし、別の公知の技術と組み合わせることも可能であるし、本発明の要旨を逸脱しない範囲で、構成の一部を省略、変更することも可能である。
【符号の説明】
【００８４】
１  機器設置用スタンド、２  送風機、２ａ  第１取り付け突出部、２ｂ  第２取り付け突出部、３  車輪、４，４ａ，４ｂ，４ｃ，４ｄ  取り付け部、５  ボルト、６  ナット、１１  脚体、１２，４３  第１の脚体、１２ａ，１３ａ  第１の脚体部品、１２ｂ，１３ｂ  第２の脚体部品、１３  第２の脚体、１４  取り付け板、１５，１２４，１３４  取り付け孔、２１，２６，４１，４２  補強部品、２１ａ  第１の補強部品、２１ｂ  第２の補強部品、２２ａ  間隔、２２ｂ  幅、２２ｃ  隙間寸法、２３  隙間、２４ａ  第１側面位置、２４ｂ  第２側面位置、２５，２７  別体回転制限部、３１ａ  可動範囲角度、３１ｂ  取り付け方向への可動範囲角度、３１ｃ  取り外し方向への可動範囲角度、３１ｄ  送風機の取り付け寸法、１２１ａ，１２１ｂ，１３１ａ，１３１ｂ  第１の垂直部、１２２ａ，１２２ｂ  傾斜部、１２３ａ，１２３ｂ，１３３ａ，１３３ｂ  第２の垂直部、１２５，２１５，２５４，２６３，２７４，４１４，４２４，４３３  締結用孔、１３２ａ，１３２ｂ  傾斜部、２１１，２５１，２７１  平坦部、２１２  回転制限部、２１３ａ，２１３ｂ，２１７，２５２，２７２  第１折り曲げ部、２１３ｃ，２１４ｃ  突出寸法、２１４ａ，２１４ｂ，２５３，２７３  第２折り曲げ部、２１６  脚体取り付け面、２６１，４１１，４２１，４３１  第１面、２６２，４１２，４２２  第２面、４１３  ピン、４２３，４３２  突出部、１００  送風機システム。
【図１】
2019178743.tif 000003
【図２】
2019178743.tif 000004
【図３】
2019178743.tif 000005
【図４】
2019178743.tif 000006
【図５】
2019178743.tif 000007
【図６】
2019178743.tif 000008
【図７】
2019178743.tif 000009
【図８】
2019178743.tif 000010
【図９】
2019178743.tif 000011
【図１０】
2019178743.tif 000012
【図１１】
2019178743.tif 000013
【図１２】
2019178743.tif 000014
【図１３】
2019178743.tif 000015